(57)【特許請求の範囲】
【請求項１】
既存の屋根材上もしくは既存の屋根材が撤去された後に、
既存建物の躯体を構成する軒桁と棟木の上方に位置するように配された長尺帯状の鋼板からなる水平補強材と、軒桁と棟木とを連結するように、流れ方向に対して斜めに連結された長尺帯状の鋼板からなる複数の補強材とが配設され、水平補強材は軒桁又は棟木と垂木とが交差した箇所の上方の複数箇所で固定具により打設され、補強材は端部において水平補強材と重合した箇所と垂木の上方並びに母屋の上方を通過した箇所の複数箇所で固定具により打設され、かつ、少なくとも2本の補強材が交差するように配設され、さらに、水平補強材と補強材上に新規屋根が形成されたことを特徴とする屋根改修構造。
【発明の詳細な説明】
【０００１】
【産業上の利用分野】
本発明は建築、構築物の既存屋根を新規屋根で改修するための構造に関するものであり、さらに詳しくは、既存建物を構成する軒桁と棟木を連結して既成建物の強度を向上する補強材を流れ方向に対して斜めに配設し、補強材上に新規屋根を形成する屋根改修構造に関するものである。
【０００２】
【従来の技術】
従来、この種の屋根改修構造としては、古くなった既存の屋根をすべて撤去して、既存の垂木や野地板等の屋根下地に新規屋根を形成する構造や、既存の屋根材上に直に、もしくは、新規垂木等の屋根下地やルーフィング等の防水シートを介して新規屋根材を取り付ける構造が一般的であった。
【０００３】
【発明が解決しようとする課題】
しかしながら、このような改修構造では古くなった既存屋根材と新規屋根材を交換することや、傷んだ既存の屋根材上に新規屋根材を形成して、既存屋根を隠蔽することの技術思想のみであり、古くなった建物の既存の屋根下地、躯体、あるいは既存屋根材を補強し、強度を向上させる技術思想は全く考慮に入れられていなかった。このため、改修後の建物の屋根下地や躯体には負担が係り、強度的に弱く、特に耐震性に極端に劣り、地震等の発生で新規屋根材が脱落したり、屋根下地、躯体の破損、建物の崩壊等の被害が発生することもあった。
【０００４】
【課題を解決するための手段】
本発明はこのような欠点を除去するため、既存の屋根を新規屋根材で改修する前に、既存の躯体を補強する補強材を既存屋根材上から、もしくは既存の屋根材が撤去された後に、既存建物の躯体を構成する軒桁と棟木の上方に位置するように配された長尺帯状の鋼板からなる水平補強材と、軒桁と棟木とを連結するように、流れ方向に対して斜めに連結された長尺帯状の鋼板からなる複数の補強材とが配設され、水平補強材は軒桁又は棟木と垂木とが交差した箇所の上方の複数箇所で固定具により打設され、補強材は端部において水平補強材と重合した箇所と垂木の上方並びに母屋の上方を通過した箇所の複数箇所で固定具により打設され、かつ、少なくとも2本の補強材が交差するように配設され、さらに、水平補強材と補強材上に新規屋根が形成されたことを特徴とする屋根改修構造を提案するものである。
【０００５】
【実施例】
以下に図面を用いて、本願発明に係る屋根改修構造の一実施例について詳細に説明する。ここでは、既存の屋根材を撤去せずに新規屋根を形成する際の例について説明する。図１、図２は既存屋根材上からの上記改修構造の一例を示す斜視図、図３は同部分拡大図、図４は同部分拡大断面図である。Ａは既存屋根、Ｂは屋根下地、Ｃは軒桁、Ｄは棟木、Ｅは母屋、Ｆは垂木、Ｇは水平補強材、Ｈは補強材、Ｉは新規屋根である。
【０００６】
既存屋根Ａは図４に示すように、例えば野地板ａ、ルーフィングｂ、既存屋根材ｃ等からなるものであり、屋根下地Ｂは図１、図３に示すように軒桁Ｃ、棟木Ｄ、母屋Ｅ、垂木Ｆとから構成されているものである。
【０００７】
既存屋根材ｃは図に示すように、屋根下地Ａの外側面に施工された一般的屋根材からなるものであり、例えば図に示すような新生瓦の他に、平葺き屋根材、段葺き屋根材、アルファルトシングル等の板状の屋根材を重ね張りしたものや、瓦葺き屋根材、瓦棒葺き屋根材等の各種屋根からなるものである。
【０００８】
水平補強材Ｇは、例えば図５に示すような幅狭の長尺薄板状の鋼材からなるもので、少なくとも既存建物の躯体を構成する軒桁Ｃ、棟木Ｄ上に既存屋根Ａ上から釘、スクリュービス、テクス、アンカー、アンカーボルト等の固定具αを介して固定されるものであり、１本の水平補強材Ｇによって補強された範囲内の軒桁Ｃ、棟木Ｄにおいては、腐食、破損等により強度が弱い箇所の負担を分散できるものである。なお、水平補強材を固定する固定具αの打設は、軒桁Ｃ、母屋棟木Ｄ等の水平部材が垂木Ｆと交差する箇所に行うことが、強度の面から好ましい。
【０００９】
補強材Ｈは、例えば水平補強材Ｇと同様に図５に示すような幅狭の長尺薄板状の鋼材からなるものであり、改修対象の屋根一面当たりに対して２本以上を交差するように配設するものである。
【００１０】
補強材Ｈは、既存屋根材上から改修を行う際は図３に示すように既存屋根材ｃ上から既存屋根材ｃ、ルーフィングｂ、および野地板ａを介して垂木Ｆが軒桁Ｃ、棟木Ｄ、母屋Ｅと交差する箇所に固定具αを用いて固定し、軒方向に対して斜めに取り付けることにより古くなった既存屋根Ａおよび屋根下地Ｂの強度を向上するものである。なお、１本の補強材Ｈは母屋Ｃ、棟木Ｄ、軒桁Ｅのうち少なくとも２つ以上に固定されるものであり、また、取り付けの際の長手方向の両端の固定は、垂木Ｆと軒桁Ｃ、棟木Ｄが交差する箇所にて、水平補強材Ｇと重合させて行い、屋根下地Ｂのうち強度に弱点を有する部分を全体で補える補強とするものである。
【００１１】
Ｌは新規屋根材であり、例えば図６（ａ）、（ｂ）に示すような段葺き状の屋根材Ｌを使用することができる。ここで使用する新規屋根材Ｌは、金属板（カラー鋼板、銅板、アルミニウム板、チタン板、ステンレス板、サンドイッチ鋼板、クラッド鋼板等）等をロール成形、プレス成形、押出成形等によって形成したものである。
【００１２】
さらに説明すると、新規屋根材Ｌは長尺板状であり、その幅方向一端部を化粧面１の下側、すなわち、裏面２側に略コ字状に屈曲して段差化粧面３と差込縁４とを形成した雄型連結部６としたもので、化粧面１と段差化粧面３と差込縁４とから略コ字状の引っかけ溝５を形成したものである。
【００１３】
また、化粧面１の他端には化粧面１の上側に屈曲して断面略Ｕ字状に形成した差込縁４と嵌合する嵌合溝７と、嵌合溝７の先端をコ字状に折り返した嵌合縁８と、嵌合縁８の先端を下方に屈曲すると共に化粧面１と略平行で外方にＬ字状に屈曲して延長した固定片９を形成した雌型連結部１０を形成したものである。
【００１４】
さらに、化粧面１の長手方向の両側端縁をそれぞれ裏面２側にハゼ状に屈曲した連結片１１を形成したものである。なお、図６（ａ）では長手方向の強度の強化と、外部からの雨水等が毛細管現象により内部に浸入することを防止する意味で嵌合溝７と差込縁４にそれぞれ凹条１２を形成している。
【００１５】
なお、化粧面１、段差化粧面３等にリシンを施して、落雪防止や滑り止め、意匠性の向上を図ることもできる。
【００１６】
また、Ｋは裏打材であり、図７に示すように長尺板状からなるものである。また、裏打材Ｋは既存屋根材ｃ上に多数枚重合して敷設することによって、新規屋根材Ｌをバックアップし、屋根上の作業、積雪のように荷重が加えられても新規屋根材Ｈの変形を防止すると共に、断熱層、調湿層、防火層、防音層として機能するものである。
【００１７】
裏打材Ｋの素材としてはシージングボード、シージングインシュレーションボート、プラスチックフォーム（ウレタンフォーム、ヌレートフォーム、フェノールフォーム等）パーチクルボード、木質複合板、木毛セメント板、コンポージットパネル（コンパネ）、石膏ボード、ＡＬＣ板、等からなるものである。
【００１８】
さらに説明すると、裏打材Ｋは水平方向では端面を当接すると共に、図４に示すように、軒から棟方向では下段の裏打材Ｋ1 に長尺側面を重ね合わせ、階段状とすると共に既存屋根材ｃとの間に三角形状の空隙βを形成するように固定するものである。この空隙βは新鮮な空気等の流通路として機能させることができ裏打材Ｉが有する断熱材、防音材、調湿材等の機能をさらに助長させると共に、結露を防止して屋根下地Ｂ、既存屋根材ｃ、新規屋根材Ｌの腐食防止に寄与するものである。
【００１９】
Ｊはアルファルトルーフィング等からなる防水シートであり、必要に応じて既存屋根材ｃ上に敷設し、構造の防水性を強化するものである。
【００２０】
図８は新規屋根材Ｌ同士の長手方向を接続する継手材Ｍであり、新規屋根材Ｌと同様な種類の素材を同等な成形法により形成したものであり、敷目板Ｎと嵌合板Ｏの２部材から形成したものである。
【００２１】
すなわち、敷目板Ｎは図８（ｂ）に示すように、新規屋根材Ｌの裏面２と当接すると共に、嵌合板Ｏを装着する敷目部１３と、敷目部１３の下辺を裏面側に屈曲した馳部１４と、必要に応じて敷目部１３の上辺を表面側に屈曲して形成した雨返部１５とから形成したものであり、かつ、図８（ａ）のイ−イ線端面図である図８（ｄ）に示すように、幅方向において、両側縁を表面側に折り返し、その先端を再び折り返して壺状とした係止部１６と、係止部１６の両側縁を延長した延長部１７と、延長部１７の先端を表面側に折り返して形成した延長舌片１８とから構成されたものである。
【００２２】
なお、この端面形状は敷目部１３のみならず、馳部１４から雨返部１５にかけてほぼ同一とすることが可能である。すなわち敷目板Ｎはロールフォーミング等により連続的に成形することも可能であり、コストを下げた生産ができるものである。また図６では、上下方向の連結の強化のために、馳部１４の略中央部分を延長して馳舌片１４ａを形成している。
【００２３】
嵌合板Ｏは図８（ｃ）に示すように、底面１９の左右側辺を折り返して係止舌片２０を形成して出合い袋状とした断面形状のものであり、図８（ｄ）に示すように新規屋根材Ｌの化粧面１の両側縁に設けた連結片１１を嵌合、係止するものである。（なお、図８（ｄ）では新規屋根材Ｈを点線で示した。）さらに説明すると嵌合ＯＭは敷目板Ｎの敷目部１３において、図８（ｄ）に示すように、両端を係止部１６によって係止されることによって一体化するものである。
【００２４】
ここで、本発明に係る屋根改修構造の施工方法の一実施例について簡単に説明する。ここでは、新生瓦葺きの既存屋根Ａ上に対し、段葺きの新規屋根Ｉの施工を行うものとする。先ず、図９に示すように、新生瓦からなる既存屋根材ｃ上において水平補強材Ｇを釘等の固定具αによって既存屋根材ｃ、ルーフィングｂ、野地板ａを介して躯体を構成する軒桁Ｃ、棟木Ｄ上に配設した後、補強材Ｈの端部を水平補強材Ｇ上に重合するように載置し、水平補強材Ｇ、既存屋根材ｃ、ルーフィングｂ、野地板ａを介して軒桁Ｃ、棟木Ｄにそれぞれ打設するものである。
【００２５】
なお、水平補強材Ｇは、軒桁Ｃ並びに棟木Ｄ等の水平部材と垂木Ｆとが交差した箇所の上方の複数箇所で固定具αにより打設され、補強材Ｈは端部において水平補強材Ｇと重合した箇所と垂木Ｆの上方並びに母屋Ｅの上方を通過した箇所の複数箇所で固定具により打設されて固定されている。
【００２６】
次に、図１０に示すように、必要に応じて補強材Ｈ上から既存屋根材ｃの全範囲を覆うように防水シートＪを敷設し、そして図４に示す下段の裏打材Ｋ1 を防水シートＪ上に敷設すると共に、下段に位置する裏打材Ｋ1 上に下段の新規屋根材Ｌ1 を載置し、新規屋根材Ｌ1 の固定片９上から釘等の固定具αで裏打材Ｋ1 を介して既存屋根Ａに固定する。
【００２７】
次に上段の裏打材Ｋ2 の一端部を下段の新規屋根材Ｌ1 の固定片９上に載置すると共に、下段の新規屋根材Ｌ1 の嵌合溝７内に上段の新規屋根材Ｌ2 の差込縁４を嵌合、係止し、上段の裏打材Ｋ2 上に上段の新規屋根材Ｌ2 が載置される。これらの作業を順次軒方向から棟方向まで行うことにより、既存屋根上に新規屋根を形成するものである。
【００２８】
また、図には示さないが、既存屋根材ｃを撤去した後に新規屋根Ｉを形成する場合は、既存屋根材ｃを撤去した後に水平補強材Ｇ、補強材Ｈを配設した後に上記工程を経て新規屋根Ｉを形成するものである。
【００２９】
以上説明したのは、本発明に係る屋根改修構造の一実施例であり、図１１〜図１４に示すような改修構造としたり、改修のための部材を用いることもできる。
【００３０】
図１１〜図１３は水平補強材Ｇ及び補強材Ｈの変形例である。すなわち、図１１（ａ）は両端を折り返して舌片２１を設けた例、（ｂ）は凸部２２を長手方向に沿って設けた例、（ｃ）は波型とした例である。また、図１２（ａ）はエンボス加工を施した例、（ｂ）は鋼板を数回折り返して重合させた例であり、いずれも弛みを防止する事による強度の向上、変形の防止、施工性の向上を図ったものである。
【００３１】
また、図１３（ａ）は既存屋根Ａに接触する側の面にホットメルト系接着剤、合成ゴム系接着剤、天然ゴム系接着剤等の弾性接着剤からなる帯状の弾性体２３を配した例、（ｂ）は長手方向に対して略中央部に両面テープ２４を配した例、（ｃ）は弾性体２３と両面テープ２４を併用した例であり、いずれも仮止めを容易にし、施工性の向上と、既存屋根Ａの表面の凹凸を吸収することによる補強の向上に有効なものである。
【００３２】
図１４（ａ）〜（ｃ）は水平補強材Ｇと補強材Ｈの配置のその他の例を示す図であり、（ａ）は一対の水平補強材Ｇに対し２組の補強材Ｈを配した例、（ｂ）は両端と中央の垂木Ｆ上に補強材Ｈを配し、２対の補強材Ｈにて１面の屋根を補強した例、（ｃ）は両端と中央の垂木Ｆ上に補強材Ｈを配した他に、母屋Ｅ上に水平補強材Ｇを配した例で、いずれも既存屋根Ａと屋根下地Ｂの強度を、より一層強力な物とするのに有効なものである。
【００３３】
【発明の効果】
以上説明したように本発明に係る屋根改修構造によれば、従来の欠点を解決し、（１）既存の屋根下地、既存の屋根材の強度を補強する補強材を配設するので、建物全体の強度を向上させ、地震に強い構造となる。（２）軒桁、棟木等の部材上に水平補強材を配し、水平補強材は軒桁並びに棟木と垂木とが交差した箇所の上方の複数箇所で固定具により打設されているので、被補強部材の一部分に強度が弱い箇所があってもその箇所に係る力を水平補強材で補強された範囲に分散できるので、補強が確実になり、老朽化した家屋の補強にも有効である。（３）新規屋根材は既存の屋根下地に直接固定されるので、容易には脱落しない。等の特徴、効果がある。
【図面の簡単な説明】
【図１】本発明に係る既存屋根を撤去しない屋根改修構造の一実施例を示す斜視図である。
【図２】本発明に係る既存屋根を撤去しない屋根改修構造の一実施例を示す斜視図である。
【図３】本発明に係る既存屋根を撤去しない屋根改修構造の一実施例を示す部分拡大斜視図である。
【図４】本発明に係る既存屋根を撤去しない屋根改修構造の一実施例を示す部分拡大断面図である。
【図５】補強材の代表例を示す説明図である。
【図６】新規屋根として使用する新規屋根材の一例を示す説明図である。
【図７】新規屋根として使用する裏打材の例を示す説明図である。
【図８】継手材の一例を示す説明図である。
【図９】本発明に係る既存屋根を撤去しない屋根改修構造の施工方法の説明図である。
【図１０】本発明に係る既存屋根を撤去しない屋根改修構造の施工方法の説明図である。
【図１１】水平補強材、補強材のその他の例である。
【図１２】水平補強材、補強材のその他の例である。
【図１３】水平補強材、補強材のその他の例である。
【図１４】水平補強材及び補強材の配置例である。
【符号の説明】
α  固定具
β  空隙
Ａ  既存屋根
Ｂ  屋根下地
Ｃ  軒桁
Ｄ  棟木
Ｅ  母屋
Ｆ  垂木
Ｇ  水平補強材
Ｈ  補強材
Ｉ  新規屋根
Ｊ  防水シート
Ｋ  裏打材
Ｌ  新規屋根材
Ｍ  継手材
Ｎ  敷目板
Ｏ  嵌合板
ａ  野地板
ｂ  ルーフィング
ｃ  既存屋根材
１  化粧面
２  裏面
３  段差化粧面
４  差込縁
５  引っ掛け溝
６  雄型連結部
７  嵌合溝
８  嵌合縁
９  固定片
１０  雌型連結部
１１  連結片
１２  凹条
１３  敷目部
１４  馳部
１４ａ馳舌片
１５  雨返部
１６  係止部
１７  延長部
１８  延長舌片
１９  底面
２０  係止舌片
２１  舌片
２２  凸部
２３  弾性体
２４  両面テープ
【図１】
0003659358.tif 000002
【図２】
0003659358.tif 000003
【図３】
0003659358.tif 000004
【図４】
0003659358.tif 000005
【図５】
0003659358.tif 000006
【図６】
0003659358.tif 000007
【図７】
0003659358.tif 000008
【図８】
0003659358.tif 000009
【図９】
0003659358.tif 000010
【図１０】
0003659358.tif 000011
【図１１】
0003659358.tif 000012
【図１２】
0003659358.tif 000013
【図１３】
0003659358.tif 000014
【図１４】
0003659358.tif 000015